(57)【要約】【課題】簡単な構成で孔版原紙に付着した塵埃を回収でき、サーマルヘッドによる穿孔不良を防止する孔版印刷装置を提供する。【解決手段】孔版原紙搬送方向上流側に設けられ、孔版原紙のサーマルヘッドと接触する側と反対側の面に接触して孔版原紙を張設する張設ローラと、張設ローラに対向する位置で、張設ローラによって張設された孔版原紙のサーマルヘッドと接触する側の面に接触するゴミ除去部材と、を備えたことを特徴とする孔版印刷装置。【選択図】  図３
2014193561.tif 000002
【特許請求の範囲】
【請求項１】
原紙ロール部から引き出された孔版原紙をサーマルヘッドとプラテンローラにて挟持搬送しながら加熱穿孔し、切断部材にて所定長さで切断することで穿孔済みの孔版原紙を作成するよう制御する制御部を備えた孔版印刷装置において、
前記サーマルヘッドに対し、孔版原紙搬送方向上流側に設けられ、前記孔版原紙の前記サーマルヘッドと接触する側と反対側に接触して前記孔版原紙を張設する張設ローラと、
前記張設ローラに対向する位置で、前記張設ローラによって張設された前記孔版原紙の前記サーマルヘッドと接触する側に接触するゴミ除去部材と、
を備えたことを特徴とする孔版印刷装置。
【請求項２】
前記ゴミ除去部材は、前記孔版原紙に対し接離自在に設けられ、
前記制御部は、
前記切断部材にて切断された後に、前記ゴミ除去部材を前記孔版原紙に対し離間する位置に移動させ、
前記孔版原紙を所定距離だけ逆転搬送させた後に、前記ゴミ除去部材を前記孔版原紙に接触する位置に移動するよう制御することを特徴とする請求項１記載の孔版印刷装置。
【発明の詳細な説明】
【技術分野】
【０００１】
本発明は、サーマルヘッドを用いた孔版印刷装置に係わり、サーマルヘッドに滞留する粉塵を除去するクリーニング機構に関するものである。
【背景技術】
【０００２】
孔版印刷装置に用いられる感熱性孔版原紙は、非常に薄いポリエステル等の熱可塑性合成樹脂フィルムと、多孔質の可撓性の支持体として合成繊維や和紙とを貼り合わせた構造となっており、この孔版原紙のフィルム表面には、通常、サーマルヘッド等に備えられた発熱素子との溶着を防止するためのシリコン類の剥離剤及び界面活性剤等の帯電防止剤から成るオーバーコート層が形成されている。
【０００３】
孔版印刷装置では、この孔版原紙のフィルム部をサーマルヘッド等の発熱素子で加熱穿孔し、孔版原紙を搬送して多孔性円筒状の版胴の外周面に巻き付け、孔版原紙に対してプレスローラの押圧手段が印刷用紙を連続的に押し付けて、版胴に設けられた開孔部さらに原紙の穿孔部よりインキを滲み出させて、印刷を行っている。
【０００４】
このような孔版印刷装置では、この孔版原紙のフィルム部をサーマルヘッド等の発熱素子部で加熱穿孔する際に、孔版原紙に付着した塵埃が発熱素子部とそのフィルムとに入り込むことで、穿孔不良が生じる可能性があった。この問題に対し、孔版原紙に塵埃が付着しないようにする方法が種々考えられている。
【０００５】
例えば、特許文献１の孔版印刷装置の製版装置には、少なくともマスタ貯蔵手段及び製版手段を覆う下カバーと下カバーに対して開閉自在な上カバーとから成る収納手段が開示されている。
【先行技術文献】
【特許文献】
【０００６】
【特許文献１】特開平６−２９３１７４号公報
【発明の概要】
【発明が解決しようとする課題】
【０００７】
しかしながら、特許文献１の孔版印刷装置の製版装置では、製版装置そのものを上カバーと下カバーにて覆う構成となっているため、装置が大型化してしまう問題がある。また、カバーで覆う構成であっても、孔版原紙は常に空気と接しているので、空気中の塵埃を完全に除去することはできず、孔版原紙に付着する可能性があった。さらに、孔版原紙の製造時に混入した塵埃については考慮されておらず、孔版原紙に塵埃が付着されたまま製版される可能性があった。
【０００８】
この状態で、サーマルヘッドにて孔版原紙を製版すると、製造時にフィルム上面に付着した塵埃や、孔版印刷装置内で放置中にフィルム上面に付着した塵埃により加熱穿孔が不安定となり、画像不良が発生する問題が依然として残ることになる。
【０００９】
そこで、本発明はかかる問題点を解決するために、サーマルヘッドによる製版時に、サーマルヘッドと孔版原紙の間に塵埃の進入がない孔版印刷装置を提供することを目的とする。
【課題を解決するための手段】
【００１０】
上記目的を達成するために、本発明における第１の特徴は、原紙ロール部から引き出された孔版原紙に対し、サーマルヘッドとプラテンローラにて挟持搬送しながら加熱穿孔し、切断部材にて所定長さで切断することで穿孔済みの孔版原紙を作成するよう制御する制御部を備えた孔版印刷装置において、前記孔版原紙の搬送方向上流側に設けられ、前記孔版原紙の前記サーマルヘッドと接触する側と反対側に接触して前記孔版原紙を張設する張設ローラと、前記張設ローラに対向する位置で、前記張設ローラによって張設された前記孔版原紙の前記サーマルヘッドと接触する側に接触するゴミ除去部材と、を備えたことである。
【００１１】
本発明における第２の特徴は、前記ゴミ除去部材は、前記孔版原紙に対し接離自在に設けられ、前記制御部は、前記切断部材にて切断された後に、前記ゴミ除去部材を前記孔版原紙に対し離間する位置に移動させ、前記孔版原紙を所定距離だけ逆転搬送させた後に、前記ゴミ除去部材を前記孔版原紙に接触する位置に移動するよう制御することである。
【発明の効果】
【００１２】
本発明に係る孔版印刷装置の第１の特徴によれば、サーマルヘッドの孔版原紙搬送方向上流側で、ゴミ除去部材が孔版原紙に接触しているので、孔版原紙に付着した塵埃を搬送途中でゴミ除去部材が回収し、ゴミ除去部材より下流側に搬送される孔版原紙に付着したままになることはないので、サーマルヘッドによる孔版原紙の穿孔不良が防止される。
【００１３】
本発明に係る孔版印刷装置の第２の特徴によれば、切断手段にて切断後、ゴミ除去部材を離間させ、その間に塵埃が付着した孔版原紙をゴミ除去部材よりも孔版原紙搬送方向上流側に逆転搬送させ、再度ゴミ除去部材を孔版原紙に接触する位置に移動させることで、サーマルヘッドとゴミ除去部材の間にて付着した塵埃もゴミ除去部材にて回収することができる。よって、さらにサーマルヘッドによる孔版原紙の穿孔不良が防止される。
【図面の簡単な説明】
【００１４】
【図１】本実施形態における孔版印刷装置の概略構成図
【図２】本実施形態における孔版印刷装置の制御ブロック構成図
【図３】本実施形態における孔版印刷装置の製版部の部分拡大図
【図４】本実施形態における孔版印刷装置の製版動作に係るタイミングチャート図
【発明を実施するための形態】
【００１５】
以下、図面を参照して本発明の実施形態について説明する。図１は本発明の実施形態である孔版印刷装置１の概略構成図である。
【００１６】
［孔版印刷装置の全体構成］
孔版印刷装置１は、図１に示すように、原稿を読み取る原稿読取部１０、原稿読取部１０で読み取られた画像情報に基づいて孔版原紙Ｍに製版処理を施す製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、使用済孔版原紙Ｍ’が送り込まれる排版部６０、所定の事項を表示するとともに、所定の印刷条件の入力を受け付ける表示部７０および各部を制御する制御部８０を備えている。なお、孔版印刷装置１は原稿読取部１０を備えずにパソコン等から画像情報を直接受け取る構成であってもよい。
【００１７】
原稿読取部１０は、原稿が載置される原稿台１１と、原稿台１１に載置された原稿を押圧する押圧板１２と、原稿の画像情報を光電的に読み取るラインイメージセンサ１３と、ラインイメージセンサ１３を副走査方向（図１中矢印Ａ方向）に搬送するセンサ搬送部１４とを備えている。そして、センサ搬送部１４は、ラインイメージセンサ１３が取り付けられる搬送ベルト１４ａと、搬送ベルト１４ａを搬送する搬送ローラ１４ｂとを備えている。
【００１８】
製版部２０は、原紙ロール部２１と、複数個の発熱体が一列に配列されてなるサーマルヘッドを有する製版ユニット２２と、原紙ロール部２１から繰り出された孔版原紙Ｍを送り出すプラテンローラ２３と、製版済みの孔版原紙を搬送する原紙搬送ローラ２４と、プラテンローラ２３及び原紙搬送ローラ２４の回転を駆動する搬送モータ２５と、プラテンローラ２３により送り出された孔版原紙Ｍを所定の長さでカットする原紙カッタ２６とを備えている。
【００１９】
印刷部３０は、インク通過性の円筒状の印刷ドラム３１、印刷ドラム３１に略内接するように配置されたスキージローラ３２と、スキージローラ３２に近接して配置され、スキージローラ３２とで印刷ドラムの回転軸方向、すなわち紙面と直交する方向に延びるインク受け部Ｒを形成するドクターローラ３３と、インク受け部Ｒにインクを供給するインク供給手段３４と、用紙Ｐを印刷ドラム３１に向けて圧接するプレスローラ３５と、インク供給手段３４とインク受け部Ｒとの間に配置されたインク駆動棒３６と、印刷ドラム３１を回転駆動する印刷ドラム駆動手段３７とを備えている。印刷ドラム３１の外周には孔版原紙Ｍが巻装されている。インク供給手段３４からのインクはインク受け部Ｒに貯留されてインク溜まりＡＩを形成する。
【００２０】
給紙部４０は、印刷用紙Ｐが載置される給紙台４１と、給紙台４１より印刷用紙Ｐを１枚ずつ取り出して２次給紙ローラ４３に向けて送り出す１次給紙ローラ４２と、１次給紙ローラ４２の搬送方向下流側に配置され、１次給紙ローラ４２により搬送された印刷用紙Ｐの先端を一旦停止させ、所定のタイミングで印刷用紙Ｐを印刷ドラム３１とプレスローラ３５との間に送り出す２次給紙ローラ４３とを備えている。
【００２１】
排紙部５０は、印刷済印刷用紙Ｐ’を印刷ドラム３１より剥ぎ取る剥取爪５１と、剥取爪５１により印刷ドラム３１から剥ぎ取られた印刷済印刷用紙Ｐ’を後述する排紙台５３まで搬送する排紙送りベルト部５２と、排紙送りベルト部５２により搬送された印刷済印刷用紙Ｐ’が積載される排紙台５３とを備えている。
【００２２】
排版部６０は、印刷部３０の一方の側に設けられ、印刷ドラム３１から引き剥がされた使用済孔版原紙Ｍ’が送り込まれる排版ボックス６１と、印刷ドラム３１から使用済孔版原紙Ｍ’を引き剥がして排版ボックス６１内へ送り込む排版ローラ６２とを備えている。
【００２３】
表示部７０は、液晶パネルまたはＬＥＤパネル等の公知な表示パネルで構成されている。表示パネルには、装置の動作状態やインク容器の交換を促すメッセージなどが表示されるとともに、プレスローラ３５が印刷ドラム３１を押圧する印刷圧力や製版の際の穿孔の大きさなどといった印刷濃度に関する設定内容や印刷速度（印刷ドラムの回転速度）に関する設定内容が表示される。また、表示部７０は、印刷濃度や印刷速度に関する設定内容について、操作者による入力を受け付け、これらの設定内容を変更可能に構成されている。また、表示部７０は、操作者による所望の印刷枚数や印刷部数の入力を受け付け、これらを設定可能に構成されている。
【００２４】
制御部８０は、図２に示すように、原稿読取部１０、製版部２０、印刷部３０、給紙部４０、排紙部５０、排版部６０および表示部７０にそれぞれ接続して各部に制御信号を出力して各部を制御している。
【００２５】
［製版部の構成］
次に、製版部２０の構成について、図３を用いて説明する。図３は、本実施形態における孔版印刷装置の製版部の部分拡大図である。
【００２６】
製版部２０には、原紙ロール部２１と製版ユニット２２との間に、原紙ロール部２１から繰り出された孔版原紙Ｍを張設するための張設ローラ２７が設けられている。張設ローラ２７は、原紙ロール部２１とプラテンローラ２３の接線よりも図３上の上方に位置されており、孔版原紙Ｍはプラテンローラ２３により搬送される際に、張設ローラ２７の表面に接することで張設されることになる。
【００２７】
張設ローラ２７の対向する位置には、ゴミ取りブラシ２８が備えられている。ゴミ取りブラシ２８は、ゴミ取りブラシ本体２８ｃの先端にはブラシ部２８ａが備えられ、このブラシ部２８ａが張設ローラ２７に当接している。ゴミ取りブラシ本体２８ｃは、軸２８ｂを中心に回動自在に設けられており、軸２８ｂには図示しないコイルバネ等の付勢手段が設けられており、ブラシ本体２８ｃは、図３上の反時計回りに付勢されている。
【００２８】
ゴミ取りブラシ２８は、通常、この付勢力により、図３のように張設ローラ２７に付勢されていることになる。原紙ロール部２１から繰り出された孔版原紙Ｍの表面に付着した塵埃Ｄを回収し、サーマルヘッド２２へ塵埃Ｄが到達しないように阻止している。
【００２９】
サーマルヘッド２２は、サーマルヘッド支持部材２３５に固定されている。サーマルヘッド支持部材２３５の上方に設けられた製版圧調整カム２３０の回動により、サーマルヘッド支持部材２３５は中心軸２３５ａを中心に回動可能に設けられている。サーマルヘッド支持部材２３５が回動することで、サーマルヘッド２２とプラテンローラ２３との接触圧、つまり製版する際の圧力（製版圧）を調整することになる。なお、製版圧調整カム２３０が強位置に位置する場合には製版圧は強となり、標準位置に位置する場合には製版圧は標準となり、弱位置に位置する場合には、サーマルヘッド２２とプラテンローラ２３とは接触しない離間した状態になり、製版圧は開放される。
【００３０】
また、サーマルヘッド支持部材２３５の先端２３５ｂは、製版圧調整カム２３０が強位置に移動した際に、最も時計回りに移動され、ゴミ取りブラシ本体２８ｃに当接する。これにより、ゴミ取りブラシ２８は、付勢手段の付勢力に抗して、軸２８ｂを中心に時計回りに回動し、ブラシ部２８ａは張設ローラ２７から離間する位置に移動することになる。なお、製版圧調整カム２３０が標準位置及び弱位置に位置する場合には、ゴミ取りブラシ２８は張設ローラ２７に当接した状態になる。
【００３１】
なお、本実施形態では、製版圧調整カム２３０によりサーマルヘッド支持部材２３５を介して、ゴミ取りブラシ２８を移動させており、製版圧調整カム２３０がゴミ取りブラシ２８を駆動する役割を兼ねているが、別途、駆動部材を設けても良い。
【００３２】
［製版部の作用］
次に、製版部２０の作用について、図４を用いて説明する。図４は、本実施形態における孔版印刷装置の製版動作に係るタイミングチャート図である。
【００３３】
制御部８０は、表示部７０からのユーザによる製版開始指示があると、原稿読取部１０により原稿のデータを読み取り、製版部２０に対し製版指示を出す。
【００３４】
製版部２０は、製版指示を受け、サーマルヘッド２２とプラテンローラ２３により孔版原紙Mの挟持搬送を開始すると共に、原稿データに基づきサーマルヘッド２２の各発熱素子により孔版原紙Mに加熱穿孔（製版動作）を開始する。この際、製版圧調整カム２３０は標準位置に位置し、加熱穿孔に必要な製版圧を付与している。
【００３５】
次に、サーマルヘッド２２による製版動作が終了し、プラテンローラ２３により所定距離だけ孔版原紙Mを搬送すると、原紙カッタ２６が駆動され、孔版原紙Mを所定長さに切断する。なお、所定長さに切断された孔版原紙Mは別途印刷部３０に供給される。
【００３６】
原紙カッタ２６の動作が終了すると、製版圧調整カム２３０が強位置に移動し、サーマルヘッド支持部材２３５が図３上の時計回りに回動する。そして、サーマルヘッド支持部材２３５の先端２３５ｂがゴミ取りブラシ２８に当接し、ゴミ取りブラシ２８が張設ローラ２７から離間する位置に移動する。
【００３７】
同時に、プラテンローラ２３が逆転駆動され、製版圧が強い状態で、原紙ロール部２１から繰り出されている孔版原紙Ｍを逆転搬送する。この際、原紙ロール部２１は駆動されないため、孔版原紙Ｍは、張設ローラ２７と原紙ロール部２１の間で、たるみを形成するように保持されている。
【００３８】
プラテンローラ２３によりＴ１時間だけ逆転搬送されると、プラテンローラ２３の駆動が停止され、製版圧調整カム２３０が弱位置に移動し、サーマルヘッド支持部材２３５が反時計回りに回動する。そして、サーマルヘッド支持部材２３５の先端２３５ｂがゴミ取りブラシ２８から離間し、ゴミ取りブラシ２８が張設ローラ２７対して当接する位置に移動する。
【００３９】
その後、製版圧調整カム２３０が標準位置に移動した状態でプラテンローラ２３がＴ２時間だけ正転駆動し、孔版原紙Ｍの先端を所定位置まで搬送し、次の製版指示があるまで待機することになる。この際、ゴミ取りブラシ２８は張設ローラ２７に当接しているので、塵埃Ｄを回収することができる。
【００４０】
このように、通常時には、ゴミ取りブラシ２８は張設ローラ２７に当接しているので、原紙ロール部２１から繰り出された孔版原紙Ｍに付着している塵埃Ｄがサーマルヘッド２２に到達するのを阻止することができ、サーマルヘッド２２による穿孔不良を防止することができる。
【００４１】
また、製版動作終了後に、プラテンローラ２３を逆転搬送することで、プラテンローラ２３とサーマルヘッド２２にて付着した塵埃Ｄを巻き戻して、ゴミ取りブラシ２８で回収することができるので、さらにサーマルヘッド２２による穿孔不良を防止することができる。
【００４２】
また、プラテンローラ２３を逆転搬送する際に、サーマルヘッド２２とプラテンローラ２３との製版圧を強くしたので、サーマルヘッド２２表面に付着した塵埃Ｄなどを擦り取ることができるので、サーマルヘッド２２の清掃を別途行わなくてもよい。
【００４３】
さらに、製版圧を調整する動作と、ゴミ取りブラシ２８を張設ローラ２７から接離する動作を、製版圧調整カム２３０の駆動により同時に行うことができるので、別途、ブラシ駆動部を設ける必要はなく、コスト低減を実現できる。
【符号の説明】
【００４４】
１      孔版印刷装置
２０    製版部
２１    原紙ロール部
２２    製版ユニット（サーマルヘッド）
２３    プラテンローラ
２６    原紙カッタ
２７    張設ローラ
２８    ゴミ取りブラシ
Ｄ      塵埃
Ｍ      孔版原紙
【図１】
2014193561.tif 000003
【図２】
2014193561.tif 000004
【図３】
2014193561.tif 000005
【図４】
2014193561.tif 000006